(57)【要約】      （修正有）【課題】打撃練習者が想定するベースの外縁付近の全ての打点にティーを設定することを可能にし、バッターボックス形状のシートで、規定の位置に容易に設定できるようにして、ホームベースと自分の立つ位置関係を明確に認識できるようにする。【解決手段】ホームベースＡの中心に設置された回転台座Ｃのアーム部Ｄをベースの外側まで伸ばし、ベースの外縁に沿って360度回転可能とし、アーム部先端に収縮自在のティー部Ｂを取り付ける。また、バッターボックスと同サイズの折り畳み可能で容易に規定の位置に設置可能なシートを設置することにより、各打撃練習者の要求する千差万別の打点に対応可能なティーバッティング練習装置となる。【選択図】図１
0003134638.tif 000002
【実用新案登録請求の範囲】
【請求項１】
正規のサイズのホームベースとその上に設置された回転台座部、回転台座アーム部および回転台座アーム部の前方先端から垂直に上に伸びたティ−部から成り、ホームベースは中心部に一つの穴と中心部の穴を中心点とした円周上に複数の穴が開けられており、回転台座部、回転台座アーム部はこの中心の穴に固定ネジによって設置されている。
回転台座アーム部最後尾は固定器具によりホームベースの円周上に開けられた複数の穴と接続固定され、この接続固定する穴の位置を変えることにより、アーム部前方先端から垂直に上に伸びたティー部をホームベースの中心点を中心に360度、どの位置にも設定可能とした、野球・ソフトボール用ティーバッティング練習装置。
【請求項２】
回転台座アーム部前方先端に接続固定され垂直に上に伸びる、複数の太さの異なる金属性ポール部、ゴム、合成樹脂、樹脂状化合物などを原材料とした上部が皿型形状のボール受け部、金属ポール部とボール受け部を接続固定する接続部からなり、太さの異なる金属ポール部は細いポールが太いポールに挿入される形で連結され、細いポールの接続部に装填された針金状の部材が、太いポールの接続部内側を圧迫する力による摩擦抵抗によってポールの伸び縮みを調節することを特徴とするティー部を有する、請求項１記載の野球・ソフトボール用ティーバッティング練習装置。
【請求項３】
公式のバッターボックスサイズとラインの幅をホームベース側の半分だけを忠実にシートを加工して再現し、シートが重なる前方と後方のコーナー部に重りとなる鉄片を装着し、前方コーナー部から計測してホームベースの前辺の延長線上に当たると想定される位置のシート上に目印ラインを引き、そのシートの目印ラインからホームベース側にラインとホームベース間に正規の間隔を空ける事を目的とした定規を固定したバッターボックス用シートを特徴とする、請求項１又は請求項２記載の野球・ソフトボール用ティーバッティング練習装置。
【考案の詳細な説明】
【技術分野】
【０００１】
本考案は、野球・ソフトボールにおいて、ティーバッティングの練習を行うためのティーバッティング用スタンド装置の構造に関するものである。
【背景技術】
【０００２】
昔からバッティングティーは、野球の打撃練習の定番として広く使用されている練習装置である。初期のバッティングティーは、ティー（ボール受け台）の支持部材であるホームベースの中心部から高さ調整可能なティーが立ちあがっているという仕様であった。この仕様の場合、ボールの高低を調整することはできるが、内角、外角、ベースの前方、後方というような打点位置の選択ができないという、打撃練習にとっては致命的な欠点があった。
【０００３】
その後、この欠点を解決するために様々な考案がなされてきた。まず初めの考案は、ベース上にティーを差し込める複数の穴を作成し、好みの打点を練習者が選択できるようにしたものである。しかし、練習者が打撃練習をしたい打点というのは、単にホームベースの内側のみではなく、逆にホームベースぎりぎり、またはホームベースを若干外れるようなコースのボール、およびホームベースの前方や後方で捉えるボールであるため、練習者の満足を得ることができなかった。
【０００４】
この問題を解決するために、その後いくつかの発明・考案が成されてきた。
公知技術としては、下記のようなものが上げられる。
【特許文献１】登録実用新案第３０９６３５２号このティーバッティング装置は、内角外角また若干外れてボールになるコースなど、様々な打点に対して打撃練習ができるように考案されている。しかし、通常個人練習で使用する場合の、ある程度の厚みのあるホームベース上に装置の基部を設置せねばならないため、装置の安定性を欠くこと、ベースと装置が一体ではない為、打点の設定が不安定であること、逆に設定を安定させるため基部の重量を増やした場合は、その全体形状とあいまって携帯・収納性能が極端に落ちてしまうなどの問題を抱えている。また、ティーバッティング練習においての重要な要素のひとつが、バッターボックスである。規定のホームベースとバッターボックスの位置関係を明確にすることがティーバッティング練習の基本であるべきだが、この考案では、バッターボックスに関しては、なんら触れられていない。厳密な内外角の打点やベースの前後どの位置でボールを捉えるかなどの設定は、すべて練習者がバッターボックスのどの位置にどのようなスタンスで位置するかを基にして設定されなければならない。  よってこの考案は、真に効率の良いティーバッティング練習装置と言うには不十分である。
【０００５】
【特許文献２】登録実用新案第３１０１２５０号このティーバッティング装置は、新たにバッターボックスという概念を練習装置に取りいれた点が斬新であるが、ボールの打点の選択が、外角、真ん中、内角の３点しか無いこと、高低の調整も段階制限があること、ティー自体の構造が脆弱であり、度重なる打撃の衝撃に耐えられるかはなはだ疑問であること。など、多くの課題を残している。せっかく取り入れたバッターボックスも、携帯性を重視するあまりラインの幅を無視したロープ製となっており、最もデリケートなバッティングボックス内でのスタンスの取り方などへの配慮がなされていない。よってこの考案は、真に効率の良いティーバッティング練習装置と言うには不十分である。
【０００６】
【特許文献３】特許出願平７−５２６３３１号このティーバッティング装置の斬新なところは、打点をホームベース上のストライクゾーンからベースをかすめるストライク、若干外れたボール、ベースの前で捉える変化球、ベースの後ろで捉えるストレートなどを想定練習できるところまで広げたことである。逆に、この装置の最大の欠点は、装置自体の強度と複雑さにある。およそこのような野球の練習器具は、野球技術の上達を目指す多くの球児たちに使用されてこそ、その発明が生きると言える。  装置自体が高価で、ごく限られた層の球児たちしか使えないようでは、発明の意味が半減する。この発明の構造を見る限り、明細書内で説明されている、伸張部材３，９．ガイドバー５，１１．及びアパーチャー７，扁平なプレート２７などの滑動部材をこの仕様のように作成する場合、かなり強度のある部材を使用せねばならず、装置のコスト面を考える場合、多くの球児達に普及させるには難があると考えられる。また、土ぼこりの舞う野球グラウンドにおいて、このような滑動部材が長期間に渡ってスムースに機能できるかもはなはだ疑問であり、そのメンテナンスにかける手間も大変である。また、携帯・収納性能などの配慮が全くなされていないのも問題であろう。参考文献１同様に、バッターボックスに関してなんら考察されていない点も、ティーバッティング練習装置としての不十分さは否めない。発明からかなりの時間が経過しても製品が市場に現れていないことがこの発明の不完全さを如実に表していると言えよう。
【考案の開示】
【考案が解決しようとする課題】
【０００７】
上記のような問題点の解決を図るために，下記のような野球・ソフトボール用のティーバッティング練習装置が考案された。
この野球・ソフトボール用のティーバッティング練習装置は、打撃練習者が打撃練習をしたいと想定するベースの外縁付近の全ての打点にティーを設定することを可能にし、同時に公式のバッターボックスサイズとライン幅を忠実に再現したバッターボックス形状のシートを、携帯性を考慮してホームベース側半分の状態で作成し、規定の位置に容易に設定できるようにして、打撃練習者にホームベースと自分の立つ位置関係を明確に認識できるようにする。ティ−位置の設定は、練習時の手間を煩わせることなく、ワンタッチで容易に設定可能とし、過酷なグラウンド環境においても、特別なメンテナンス無しで、常にその機能を発揮できるような仕様・強度であり、また、収納においても各部位を小さく折り畳む事を可能とし、簡単にどこへでも持ち運びができるようにする。  販売価格は、多くの球児たちが無理せずに購入できるような価格帯に設定するため、その部材・仕様を合理的なものとする。
【課題を解決するための手段】
【０００８】
本考案による課題の解決手段を以下に要約する。
課題を解決するために考案された野球・ソフトボール練習装置は、ホームベース部（図１−A）、ティー部（図１−B）、回転台座部（図１−C）、回転台座アーム部（図１−D）及びバッターボックス部（図２−E）からなっている。ホームベース部は野球・ソフトボールの正規のホームベースと同じサイズに作成されており、中心部に回転台座部の回転軸を固定する穴があり、回転台座部と回転台座アーム部を貫通し、この中心の穴を貫通して固定ネジ２（図１−F）でホームベースと回転台座部及び回転台座アーム部が固定されている。この穴を中心にした円周上に、回転台座アーム部の最後尾を固定させる複数の穴がある（図１−G）。回転台座アーム部は、サイズの若干違った2本のパイプを接続させ収縮自在の構造とし、接合点を固定ネジ１（図１−H）で締めて固定する。その回転台座アーム部の最後尾には、アーム部を貫通し穴Gに挿入され、ホームベースと回転台座アーム部とを一体に固定する固定器具（図１−I）が取り付けられている。また、回転台座アーム部の最先端部上面には、垂直方向に伸びる形状にティー部が固定されており、回転台座アーム部の最先端部下面には、ティー部を地面に安定設置する役割の接地プレート（図１−J）が固定されている。
【０００９】
垂直方向に伸びたティー部は、（図３−B1〜B5）の部材に分かれている。上部皿状部にボールを保持する役目のB1部。ボールを垂直に保持する硬度とバットに叩かれた場合にしなって衝撃を下部に伝えない柔軟性の両面が要求される部分であり、ゴム、合成樹脂および樹脂状の化合物などで作成される。B1部がバットに叩かれた時の衝撃を吸収し下部B3部以下にその衝撃を伝えない役目と金属部であるB3としっかり接続固定し、結果として柔軟性のあるB1部と堅牢なB3部とを接合する役目のB2部。B3〜B5の部材は、高さ調整の役割を担っている。太さの違った3本のパイプB3〜B5は、細いパイプを太いパイプに差し込むように連結され、好みの位置で固定できるように設計されており、高さ調整はミリ単位で好みの位置に設定できる。この調整装置は、B5およびB4のパイプの先端部の中心を貫通固定させた心材Kに復元剛性の強い針金状の部材Lを巻き付け固定させ、B4およびB3のパイプの下部内側面を圧迫するような方向に形状作りされた部材とによって形成されている。詳しい装置の仕様形状は(図４)参照。
このティーの高さ調整の特徴は、一切のネジなどの部材を使用することなく、片手で下に押したり上に引いたりすることで、練習者の好みの位置にバット片手でミリ単位に設定できることである。
【００１０】
ホームベース上に円周上に開けられた複数の穴（図１−G）に回転台座アーム部の最後尾を固定器具により固定することにより、回転台座アーム部の最先端部のティー部はホームベースの外縁付近に沿って３６０度移動することが可能となる。ストライクゾーンから外れるボールを想定する場合やベースの前方の打点を想定する場合は、アーム部のHの固定ネジ１を緩め台座ポールを長く設定するようにする。この機能により、ホームベースの前方で内角球を捉えることを想定した練習やホームベースの後方で外角球を外へながす練習などさまざまな状況設定に対応できる練習が可能となるわけである。
【００１１】
公式の規定バッターボックスサイズとライン幅を忠実に再現したバッターボックス形状のシートをホームベース側半分のみの状態で作成し、シート状に記した設置位置マークマークNとシートに取り付けた設置位置定規Mとによって、ホームベースとバッターボックスを正式の位置関係に容易に設定できるようにし、打撃練習者にホームベースと自分の立つ位置関係を明確に認識できるようにする。シートの前と後ろの角には重り用金属片Oを取り付け、シートが地面に安定して設置できるようにする。またシート素材には、折り畳んでも折り目のつきにくい素材を使用し、携帯性・収納性を高める。
【考案の効果】
【００１２】
本考案によって作成された野球・ソフトボール用ティーバッティング練習装置を使用して練習した場合の効果は下記のようである。
この野球・ソフトボール用ティーバッティング練習装置は携帯性・収納性に優れているので、練習環境を野球グランドに限定することなく、自宅前の庭先など、さまざまな練習環境でティーバッティング練習を行うことが可能である。また、装置の構造がシンプルであるため、生産効率に優れ販売価格を低く抑えることが可能であり、屋外の風雨や、土ぼこり舞う過酷な使用環境にも最小のメンテナンスで長期の使用が可能な構造となっている。
【００１３】
ティーの高さ調整は、（図４）に解説した特殊なポールの伸び縮み構造により、片手で胸元の高めから膝付近の低めまでミリ単位の調整が可能である。ティーが直立する位置に関しては、（図1）に解説した回転台座によりホームベースの外縁に沿って３６０度、どの場所にも設定することができる。練習打点は、ベース上を通過するストライクだけでなく、ベースを外れたボールの設定も、回転台座アーム部を伸ばす事により可能である。また、ホームベースと練習者の立つ位置関係を明確に認識するために、（図2）で解説したバッターボックスシートを使用することにより、瞬時に試合の時と同様のホームベース周辺の環境を作り出すことができるようになる。
【００１４】
一般例でいうと、右打ちの打撃練習者がバッターボックスのほぼ中央に立った場合、内角球を捉える場合の打点はホームベースを上から見て左前方となる。また、外角球を捉える場合の打点はホームベースの右後方である。左打ちの場合は、バッターボックスを左サイドに移動し、打点は右打ちの反対となるわけである。打点は、バッターボックスの立つ位置によっても、打撃練習者の体格等によっても様々に変化していくことになる。
【００１５】
この考案によって、実際の試合と同様のホームベース周辺状況を容易に設定することができるようになり、各打撃練習者にとって千差万別であったそれぞれの打点に自由にボールをティーアップすることが可能となった。それにより苦手な打点の打撃練習を繰り返し行うことが可能になったわけである。
【図面の簡単な説明】
【００１６】
【図１】は、ホームベース部と回転台座部、回転台座アーム部およびティー部の構造を説明する斜視図。
【図２】は、ホームベース部、回転台座部、回転台座アーム部およびティー部とバッターボックスとの関係を説明する前方斜視図。
【図３】は、ティー部の構造を説明する側面図。
【図４】は、ティー部の高さ調整の構造を説明する側面図。
【符号の説明】
【００１７】
A  ホームベース
B  ティー
C  回転台座
D  回転台座アーム部  
E  バッターボックスシート
F  固定ネジ２
G  固定穴
H  固定ネジ1
I  固定器具
J  接地プレート
K  心材
L  針金状部材
M  設置位置定規
N  設置位置マーク
O  重り用金属片
【図１】
0003134638.tif 000003
【図２】
0003134638.tif 000004
【図３】
0003134638.tif 000005
【図４】
0003134638.tif 000006
【手続補正書】
【提出日】平成19年6月13日(2007.6.13)
【手続補正１】
【補正対象書類名】実用新案登録請求の範囲
【補正対象項目名】全文
【補正方法】変更
【補正の内容】
【実用新案登録請求の範囲】
【請求項１】
正規サイズのホームベースとその上に設置された回転台座部、回転台座アーム部および回転台座アーム部の前方先端から垂直に上に伸びたティ−部から成り、ホームベースは中心部に一つの穴と中心部の穴を中心点とした円周上に複数の穴が開けられ、回転台座部、回転台座アーム部は、ほぼその中央部をこの中心の穴に固定ネジによって設置されており、回転台座アーム部最後尾は固定器具によりホームベースの中心部の穴を中心点とした円周上に開けられた複数の穴と接続固定され、この接続固定する穴の位置を変えることにより、アーム部前方先端から垂直に上に伸びたティー部をホームベースの中心点を中心に360度、どの位置にも設定可能とした、野球・ソフトボール用ティーバッティング練習装置。
【請求項２】
回転台座アーム部前方先端に接続固定され垂直に上に伸びる、複数の太さの異なる金属性ポール部、ゴム、合成樹脂、樹脂状化合物などを原材料とした上部が皿型形状のボール受け部、金属ポール部とボール受け部を接続固定する接続部からなり、太さの異なる金属ポール部は細いポールが太いポールに挿入される形で連結され、細いポールの接続部に装填された針金状の部材が、太いポールの接続部内側を圧迫する力による摩擦抵抗によってポールの伸び縮みを調節することを特徴とするティー部を有する、請求項１記載の野球・ソフトボール用ティーバッティング練習装置。
【請求項３】
公式のバッターボックスサイズとラインの幅をホームベース側の半分だけを忠実にシートを加工して再現し、シートが重なる前方と後方のコーナー部に重りとなる鉄片を装着し、前方コーナー部から計測してホームベースの前辺の延長線上に当たると想定される位置のシート上に目印ラインを引き、そのシートの目印ラインからホームベース側にラインとホームベース間に正規の間隔を空ける事を目的とした定規を固定したバッターボックス用シートを特徴とする、請求項１又は請求項２記載の野球・ソフトボール用ティーバッティング練習装置。